(57)【特許請求の範囲】
【請求項１】
フラットパネルディスプレイと、該フラットパネルディスプレイを空間をおいて収納するための凹部を有する導光体と、前記フラットパネルディスプレイの外縁よりも大きく形成されると共に前記導光体の側面を係止片によって係止するフレームと、該フレームの内周縁の全域に装着される弾性を備えた充填部材とを備え、
前記充填部材は、非光透過性の材料によって形成されており、
前記フレームの係止片を前記導光体の側面に係止する際に、前記充填部材は、前記凹部内の空間に入り込み、前記フラットパネルディスプレイの外周の全域に設けられてなることを特徴とするフラットパネルディスプレイの支持構造。
【請求項２】
請求項１において、前記フラットパネルディスプレイは液晶装置であることを特徴とするフラットパネルディスプレイの支持構造。
【請求項３】
フラットパネルディスプレイと、該フラットパネルディスプレイを空間をおいて収納するための凹部を有する導光体と、前記フラットパネルディスプレイの外縁よりも大きく形成されると共に前記導光体の側面を係止片によって係止するフレームと、該フレームの内周縁の全域に装着される弾性を備えた充填部材と、前記導光体及び前記充填部材を包囲する筐体とを備え、
前記充填部材は、非光透過性の材料によって形成されており、
前記フレームの係止片を前記導光体の側面に係止する際に、前記充填部材は、前記凹部内の空間に入り込み、前記フラットパネルディスプレイの外周の全域に設けられてなることを特徴とする電子機器。
【請求項４】
請求項３において、前記フラットパネルディスプレイは液晶装置であることを特徴とする電子機器。
【発明の詳細な説明】
【０００１】
【発明の属する技術分野】
本発明は、液晶装置等といったフラットパネルディスプレイを電子機器内で支持するための支持構造に関する。また、本発明は、その支持構造を用いて構成される、携帯電話機等といった電子機器に関する。
【０００２】
【従来の技術】
近年、携帯電話機、携帯電子端末機等といった各種の電子機器の表示部として液晶装置、ＥＬ（Electro Luminescence）表示装置等といったフラットパネルディスプレイが広く用いられている。この電子機器において、フラットパネルディスプレイは一般に所定形状の枠によって支持されることにより電子機器内の所定位置に配設される。そして従来、フラットパネルディスプレイは枠に密着した状態、すなわちクリアランスの無い状態でしっかりと固定支持されていた。
【０００３】
【発明が解決しようとする課題】
ところで、上記のフラットパネルディスプレイでは、表示を行うための主要要素である液晶、ＥＬ素子等といった電気光学物質を支持するために、ガラス、プラスチック等といった支持部材が用いられる。例えば、液晶装置は、一般に、ガラス、プラスチック等によって形成された一対の基板によって液晶を挟持し、この液晶層を通過する光を画素毎に変調することによって一方の基板の表面に文字、数字等といった像を表示する。
【０００４】
ガラス基板等といった支持部材は、一般に、衝撃に対して損傷し易いという性質を有している。従来の電子機器のように、フラットパネルディスプレイを枠に密着状態で取り付けると、電子機器を落下する等により該電子機器に衝撃が加わったとき、その衝撃が枠を介してフラットパネルディスプレイの支持部材にそのまま伝播し、該支持部材が割れたり、損傷したりするおそれがあった。
【０００５】
本発明は、上記の問題点に鑑みて成されたものであって、電子機器に用いられるフラットパネルディスプレイが衝撃によって損傷することを確実に防止できるようにすることを目的とする。
【０００６】
【課題を解決するための手段】
上記の目的を達成するため、本発明に係るフラットパネルディスプレイの支持構造は、フラットパネルディスプレイと、該フラットパネルディスプレイを空間をおいて収納するための凹部を有する導光体と、前記フラットパネルディスプレイの外縁よりも大きく形成されると共に前記導光体の側面を係止片によって係止するフレームと、該フレームの内周縁の全域に装着される弾性を備えた充填部材とを備え、前記充填部材は、非光透過性の材料によって形成されており、前記フレームの係止片を前記導光体の側面に係止する際に、前記充填部材は、前記凹部内の空間に入り込み、前記フラットパネルディスプレイの外周の全域に設けられてなることを特徴とする。
【０００７】
この構成の支持構造によれば、フラットパネルディスプレイが枠に密着して支持されるのではなくて、それらの間に弾性を備えた充填部材が介在するので、外部から衝撃が加わってもその衝撃は充填部材によって吸収され、それ故、フラットパネルディスプレイが損傷することを防止できる。
【０００８】
次に、上記構成の支持構造において、前記枠は前記フラットパネルディスプレイへ光を導く導光体であることが望ましい。この構成によれば、フラットパネルディスプレイへ導光体によって光を供給することができる。導光体をフラットパネルディスプレイの観察側と反対側に配置すれば、いわゆるバックライトが構成され、一方、導光体をフラットパネルディスプレイの観察側に配置すれば、いわゆるフロントライトが構成される。フラットパネルディスプレイを支持するための枠を導光体によって構成すれば、専用の枠を設ける必要がなくなるので、経費を節減でき、さらに支持構造を小型に形成できる。
【０００９】
次に、上記構成の支持構造において、前記フラットパネルディスプレイは液晶装置とすることができる。一般に、液晶装置は、一対の基板によって液晶を挟持することによって形成され、そしてこれらの基板はガラスによって形成されることが多い。ガラスは衝撃に対して損傷し易い性質を有するので、従来の支持構造、すなわちフラットパネルディスプレイが枠に密着して支持される構造では、衝撃によって損傷するおそれが大きかった。これに対し、本発明のように、フラットパネルディスプレイと枠との間に充填部材を介在すれば、ガラス基板等を衝撃から有効に保護できる。
【００１０】
次に、上記構成の支持構造において、前記充填部材は非光透過性の材料によって形成されることが望ましい。この構成によれば、バックライトやフロントライト等といった照明装置を電子機器の内部に配設した場合に、その照明装置からの光りが外部へ漏れ出ることを充填部材によって防止できる。ここで、非光透過性の材料とは、材料それ自体が光を通さない性質のものを含むことはもとより、材料それ自体は透光性であるがそれに黒色インク層その他の遮光層を形成して全体として非光透過性になる場合も含むものである。
【００１１】
次に、上記構成の支持構造において、前記充填部材は前記フラットパネルディスプレイの外周のほぼ全域にわたって設けられることが望ましい。この構成によれば、フラットパネルディスプレイが衝撃によって損傷することを防止できると共に、外部からフラットパネルディスプレイへ水分が侵入することも防止できる。すなわち、耐湿性を確保できる。
【００１２】
次に、上記構成の支持構造において、前記充填部材は前記フラットパネルディスプレイの外周の角部に設ることもできる。また、前記充填部材は前記フラットパネルディスプレイの外周の角部以外の中間部分に設けることもできる。
【００１３】
次に、本発明に係る電子機器は、フラットパネルディスプレイと、該フラットパネルディスプレイを空間をおいて収納するための凹部を有する導光体と、前記フラットパネルディスプレイの外縁よりも大きく形成されると共に前記導光体の側面を係止片によって係止するフレームと、該フレームの内周縁の全域に装着される弾性を備えた充填部材と、前記導光体及び前記充填部材を包囲する筐体とを備え、前記充填部材は、非光透過性の材料によって形成されており、前記フレームの係止片を前記導光体の側面に係止する際に、前記充填部材は、前記凹部内の空間に入り込み、前記フラットパネルディスプレイの外周の全域に設けられてなることを特徴とする。
【００１４】
この構成の電子機器によれば、フラットパネルディスプレイが枠に密着して支持されるのではなくて、それらの間に弾性を備えた充填部材が介在するので、外部から衝撃が加わってもその衝撃は充填部材によって吸収され、それ故、フラットパネルディスプレイが損傷することを防止できる。
【００１５】
次に、上記構成の電子機器において、前記枠は前記フラットパネルディスプレイへ光を導く導光体であることが望ましい。この構成によれば、フラットパネルディスプレイへ導光体によって光を供給することができる。導光体をフラットパネルディスプレイの観察側と反対側に配置すれば、いわゆるバックライトが構成され、一方、導光体をフラットパネルディスプレイの観察側に配置すれば、いわゆるフロントライトが構成される。フラットパネルディスプレイを支持するための枠を導光体によって構成すれば、専用の枠を設ける必要がなくなるので、経費を節減でき、さらに接続構造を小型に形成できる。
【００１６】
次に、上記構成の電子機器において、前記フラットパネルディスプレイは液晶装置とすることができる。一般に、液晶装置は、一対の基板によって液晶を挟持することによって形成され、そしてこれらの基板はガラスによって形成されることが多い。ガラスは衝撃に対して損傷し易い性質を有するので、従来の接続構造、すなわちフラットパネルディスプレイが枠に密着して支持される構造では、衝撃によって損傷するおそれが大きかった。これに対し、本発明のように、フラットパネルディスプレイと枠との間に充填部材を介在すれば、ガラス基板等を衝撃から有効に保護できる。
【００１７】
次に、上記構成の電子機器において、前記充填部材は非光透過性の材料によって形成されることが望ましい。この構成によれば、バックライトやフロントライト等といった照明装置を電子機器の内部に配設した場合に、その照明装置からの光りが外部へ漏れ出ることを防止できる。ここで、非光透過性の材料とは、材料それ自体が光を通さない性質のものを含むことはもとより、材料それ自体は透光性であるがそれに黒色インク層その他の遮光層を形成して全体として非光透過性になる場合も含むものである。
【００１８】
次に、上記構成の電子機器において、前記充填部材は前記フラットパネルディスプレイの外周のほぼ全域にわたって設けられることが望ましい。この構成によれば、フラットパネルディスプレイが衝撃によって損傷することを防止できると共に、外部からフラットパネルディスプレイへ水分が侵入することも防止できる。すなわち、耐湿性を確保できる。
【００１９】
次に、上記構成の電子機器において、前記充填部材は前記フラットパネルディスプレイの外周の角部に設けることもできる。また、前記充填部材は前記フラットパネルディスプレイの外周の角部以外の中間部分に設けることもできる。
【００２０】
【発明の実施の形態】
（第１実施形態）
以下、本発明を電子機器としての携帯電話機及びフラットパネルディスプレイとしての液晶装置に適用する場合を例に挙げて説明する。図１は、本発明に係るフラットパネルディスプレイの支持構造の一実施形態及び本発明に係る電子機器の一実施形態である携帯電話機を示している。
【００２１】
ここに示す携帯電話機１は、互いに組み合わされることにより外装ケースを構成する第１ケース２及び第２ケース３を有する。これらのケースの中には、回路基板４と、第１反射材６と、第２反射材７と、枠としての導光体８と、フラットパネルディスプレイとしての液晶パネル９と、フレーム１１の内周端に装着された充填部材１２とが収納される。
【００２２】
上記の各要素を組み付けると図２に示すような携帯電話機１が形成される。符号１３はスピーカであり、符号１４はマイクロホンである。これらのスピーカ１３及びマイクロホン１４は、図１において、第１ケース２に取り付けても良いし、回路基板４に取り付けても良い。
【００２３】
第１ケース２は、例えば、その全体が遮光性の樹脂によって形成される。そして、その一端部にはスピーカ１３用の穴２４が形成され、中間部には透明保護カバー２６が装着され、カバー２６から他端部にかけてキースイッチ１７用のマトリクス状に配列された複数のキー穴１８ａが形成され、さらに他端部にはスピーカ１４用の穴２７が形成される。なお、キー穴１８ａに挿入されるキースイッチ１７は、例えば、光透過性のプラスチックによって形成される。
【００２４】
導光体８は、その全体が導光性の樹脂によって形成され、液晶パネル９を収容するための凹部１６と、キースイッチ１７が挿入されるマトリクス状に配列された複数のキー穴１８ｂと、光源としてのＬＥＤ（Light Emitting Diode）１９が収容される凹部２１とを有する。また、パネル収納用凹部１６の辺端部には導電接続要素であるラバーコネクタ２２（図３参照）が挿入される穴２３ａが形成される。
【００２５】
液晶パネル９は、内蔵する液晶層によって光を変調することによって文字、数字、図形等といった像を表示するフラットパネルディスプレイである。本実施形態では、図３及び図４に符号Ｇで示すように、液晶パネル９を導光体８の凹部１６に収納したときに、液晶パネル９の外周縁と凹部１６の内周縁との間に空間が形成されるように、液晶パネル９及び凹部１６の大きさが設定されている。
【００２６】
図１において、フレーム１１は、例えば金属によって形成され、その外縁は液晶パネル９の外縁よりも大きく形成され、幅方向の外縁には第２ケース３の方向へ延びる係止片２８が設けられる。また、フレーム１１の内部には液晶パネル９の表示領域に対応した面積の開口２９が形成され、この開口２９を区画するフレーム１１の内周縁の全域に充填部材１２が枠状に装着される。
【００２７】
充填部材１２は、天然ゴム、合成ゴム、シリコーン等といった弾性を有する物質によって形成される。フレーム１１の係止片２８は、図４（ｂ）に示すように、導光体８の幅方向の両側面に嵌り合う、すなわち係止するようになっており、図４（ａ）に矢印Ａで示すように、係止片２８を導光体８の側面にはめ込むと、矢印Ｂで示すように充填部材１２の下端部分が空間Ｇの中へ入り込み、そのはめ込み処理をさらに進めると、図４（ｂ）及び図３に示すように、充填部材１２の下端部が空間Ｇに隙間無く入り込む。最終的には、充填部材１２が空間Ｇにまんべん無く入り込んだ状態で液晶パネル９が導光体８に支持される。
【００２８】
図１において、第１反射材６は、凹部１６が形成された部分の導光体８を取り囲むことができる位置関係で形成された側壁６ａと、それらの側壁間に設けられた底壁６ｂとを有する。第１反射材６はその全体が例えば白色のプラスチックによって形成され、これにより、側壁６ａ及び底壁６ｂは、いずれも、光反射面として構成されている。また、底壁６ｂの一端側の適所にはＬＥＤ１９を通すための穴３１及びラバーコネクタ２２（図３参照）を通すための穴２３ｂが形成される。
【００２９】
第２反射材７は、複数のキー穴１８ｂがマトリクス状に配列された領域の導光体８の下面に面接触又は平面的に近接するように設けられる。この第２反射材７の導光体８に対向する面は光反射面となっている。また、この第２反射材は導光体８に形成した複数のキー穴１８ｂと位置的に一致する複数のキー穴１８ｃを有する。
【００３０】
液晶パネル９は、例えば図５に示すように、一対の基板である第１基板４１ａ及び第２基板４１ｂを枠状のシール材４２によってそれらの周辺部を接着し、両基板４１ａ，４１ｂ及びシール材４２によって囲まれる間隙、いわゆるセルギャプ内に液晶Ｌを封入することによって形成される。
【００３１】
図６は、図５のＶＩ−ＶＩ線に従って液晶パネル９の断面構造を示している。図示の通り、第１基板４１ａは、矢印Ｃ方向すなわち観察側方向から見て正方形状又は長方形状の基材４３ａを有し、その基材４３ａの液晶側表面にはカラーフィルタ４４が形成され、その上にオーバーコート層４６が形成され、その上に第１電極４７ａが形成され、さらにその上に配向膜４８ａが形成される。また、基材４３ａの外側表面には偏光板４９ａが、例えば貼着等によって装着される。
【００３２】
第１基板４１ａは第２基板４１ｂ及びシール材４２の外側に張り出す基板張出し部４１ｃを有し、その基板張出し部４１ｃの表面に端子５１が形成されている。第１基板４１ａに形成された第１電極４７ａは、図５に示すように、基板張出し部４１ｃへ延び出て端子５１となっている。
【００３３】
図６において、第１基板４１ａに対向する第２基板４１ｂは、矢印Ｃ方向から見て正方形状又は長方形状の基材４３ｂを有し、その基材４３ｂの液晶側表面には第２電極４７ｂが形成され、さらにその上に配向膜４８ｂが形成される。また、基材４３ｂの外側表面には偏光板４９ｂが、例えば貼着等によって装着される。また、第２電極４７ｂはシール材４２の内部に分散されている導通材５２を通して第１基板４１ａの基板張出し部４１ｃ上の端子５１に導電接続される。
【００３４】
なお、第１基板４１ａ及び第２基板４１ｂの双方又は一方の内面又は外面には、上記以外の他の光学素子、例えば、液晶パネル９に対して入射及び出射する光を拡散して均一にする光拡散板や、電極４７ａ，４７ｂ等の上に積層されて表面を滑らかにするオーバーコート層や、液晶層を通過した光の偏光特性を再変調することにより無彩色化や視覚特性の改善等を行う位相差板等を設けることもできる。
【００３５】
第１基板４１ａと第２基板４１ｂは、シール材４２によって互いに接着され、さらにいずれか一方の表面に分散されたスペーサ５３によって両者間の間隙が均一に保持される。そして、シール材４２の一部分に形成された液晶注入口４２ａ（図５参照）を通してその間隙に液晶Ｌが注入され、さらにその液晶注入口４２ａが樹脂等によって封止される。
【００３６】
図６において、基材４３ａ及び４３ｂは、例えば、ガラス等といった硬質な光透過性材料や、プラスチック等といった可撓性を有する光透過性材料等によって形成される。また、第１電極４７ａ及び第２電極４７ｂは、例えば、ＩＴＯ（Indium Tin Oxide）等といった透明電極材料によって形成される。また、配向膜４８ａ及び４８ｂは、例えば、ポリイミド系樹脂によって形成される。これらの配向膜４８ａ及び４８ｂにはラビング処理等といった配向処理が施され、この配向処理により液晶分子の基板表面における配向が決められる。
【００３７】
第１電極４７ａは、図５に示すように、表示領域内において複数の直線パターンを互いに平行に配列することによって、いわゆるストライプ状に形成される。一方、第２電極４７ｂは上記第１電極４７ａに交差するように複数の直線パターンを互いに平行に配列することによって、やはりストライプ状に形成される。これらの電極４７ａと電極４７ｂとが液晶層を介在させてドットマトリクス状に交差する複数の点が、像を表示するための画素を形成する。そして、それら複数の画素によって区画形成される領域が、文字、数字等といった像を表示する表示領域となる。
【００３８】
なお、図５では、第１電極４７ａ、第２電極４７ｂ及び端子５１を分かり易く示すために、それらを実際よりも大きな間隔を空けて描いてある。しかしながら実際には、それらの電極は非常に狭い間隔で多数本、形成される。
【００３９】
上記構成の液晶パネル９においては、第１電極４７ａ又は第２電極４７ｂのいずれか一方に走査電圧を順次に印加し、さらにそれらの電極の他方に表示画像に基づいて信号電圧を印加することにより、両電圧によって選択された各画素部分の液晶の配向を制御してそこを通過する光を変調し、この光を偏光板４９ａに供給することにより、第１基板４１ａの外側に文字、数字等といった像を表示する。
【００４０】
図１に戻って、回路基板４には光源としてのＬＥＤ１９が設けられる。また、回路基板４には、液晶パネル９を駆動するために必要となる回路や、携帯電話機１を駆動するために必要となる回路等が搭載される。今、液晶パネル９を駆動するための回路を考えれば、その回路は、例えば図７に符号７０で示すように構成される。この駆動回路７０は、表示情報出力源８０、表示情報処理回路８１、電源回路８２、タイミングジェネレータ８３及び駆動回路８６を有する。
【００４１】
表示情報出力源８０は、ＲＯＭ（Read Only Memory）、ＲＡＭ（Random Access Memory）等といったメモリ、各種ディスク等といったストレージユニット、デジタル画像信号を同調出力する同調回路等を備え、タイミングジェネレータ８３によって生成された各種のクロック信号に基づいて、所定フォーマットの画像信号等といった表示情報を表示情報処理回路８１に供給する。
【００４２】
表示情報処理回路８１は、シリアル−パラレル変換回路や、増幅・反転回路、ローテーション回路、ガンマ補正回路、クランプ回路等といった周知の各種回路を備え、入力した表示情報の処理を実行して、その画像信号をクロック信号ＣＬＫと共に駆動回路８６へ供給する。駆動回路８６は走査線駆動回路、データ線駆動回路、検査回路等を含んで構成される。また、電源回路８２は各構成要素に所定の電圧を供給する。
【００４３】
液晶パネル９は、駆動回路８６から送られる走査線信号、データ線信号等に従って文字等といった情報を表示する。なお、液晶パネル９と液晶駆動回路７０との電気的な接続は、図３において、液晶パネル９の端子５１（図５参照）と回路基板４の端子部分との間に配置される導電接続要素、例えばラバーコネクタ２２によって行われる。ラバーコネクタ２２はそれ自体周知の電子部品であるので詳しい説明は省略するが、簡単に言えば、絶縁体であるラバーの内部に複数の金属端子を埋め込む等によって配列することによって形成されたものである。
【００４４】
図１に分解状態で示す各要素は図３に示すようにして組み付けられる。具体的には、まず、回路基板４の上に第１反射材６及び第２反射材７を平面的に並べて配列する。次に、導光体８を、その凹部１６が第１反射材６によって囲まれ、キー穴１８ｂの部分が第２反射材７の上に来るように、第１反射材６及び第２反射材７の上に配設する。
【００４５】
なお、第１反射材６を回路基板４に装着する際、回路基板４上のＬＥＤ１９が第１反射材６の穴３１を貫通する。また、第２反射材７を回路基板４に装着する際、複数のキースイッチ１７が第２反射材７のキー穴１８ｃに挿入される。また、導光体８を第１反射材６及び第２反射材７の上に配設することにより、ＬＥＤ１９が導光体８の凹部２１に入り込んで、導光体８の光取込み面に対向する位置に配置され、さらに複数のキースイッチ１７が導光体８のキー穴１８ｂに挿入される。
【００４６】
次に、液晶パネル９が導光体８の凹部１６の中に置かれ、さらに充填部材１２を備えたフレーム１１が図４（ａ）に示すように導光体８に装着される。この装着時に、充填部材１２が液晶パネル９と凹部１６の内周壁との間の空間Ｇに入り込んで液晶パネル９をしっかりと支持することは既述の通りである。また、液晶パネル９の基板張出し部４１ｃと回路基板４との間に、導光体８の穴２３ａ及び第１反射材６の穴２３ｂを通してラバーコネクタ２２が配設され、これにより、回路基板４と液晶パネル９との間の電気的な導通が達成される。
【００４７】
最後に、図３において、第１ケース２と第２ケース３とが互いに組み付けられ、さらに接着、ネジ等といった適宜の締結手段によって固定されて携帯電話機１が完成する。このとき、複数のキースイッチ１７は、第１ケース２のキー穴１８ａを通って外部へ露出する。第１ケース２のカバー２６の周辺部は充填部材１２を液晶パネル９の方向へ押し付け、これにより、液晶パネル９がしっかりと保持される。
【００４８】
以上のようにして形成された携帯電話機１においては、光源としてのＬＥＤ１９が発光すると、その光は導光体８へ取り込まれ、図１の第１反射材６の側壁６ａ及び底壁６ｂで反射して液晶パネル９を観察側の裏側から照明する。また同時に、導光体８を伝播する光は、第２反射材７で反射して複数のキースイッチ１７を照明する。キースイッチ１７は光透過性の材料によって形成されているので、照明されたキースイッチ１７は外部に向けて発光して操作性を向上させる。
【００４９】
また、液晶パネル９の外縁と導光体８の凹部１６の内周壁との間の空間Ｇ内に弾性を備えた充填部材１２が介在するので、携帯電話機１を落下する等に起因して該携帯電話機１の外部から衝撃が加わっても、その衝撃は充填部材１２によって吸収され、それ故、液晶パネル９が損傷すること、特に基板４１ａ，４１ｂが損傷することを防止できる。
【００５０】
また、充填部材１２は上記のような耐衝撃性の向上に寄与すること以外に、液晶パネル９の外部及び携帯電話機１の外部にある水分が液晶パネル９へ浸入することを防止することにも寄与する。
【００５１】
（第２実施形態）
図８は、本発明に係るフラットパネルディスプレイの支持構造の他の実施形態を用いた携帯電話機１を示している。この実施形態において、図１に示した実施形態の場合と同じ部材は同じ符号を用いて示すことにして、その部材の説明は省略する。
【００５２】
この実施形態に係る携帯電話機１が図１に示した先の実施形態に係る携帯電話機１と異なる点は、フラットパネルディスプレイの支持構造を構成する充填部材１２に改変を加えたことである。具体的には、図１に示した実施形態では、充填部材１２がフレーム１１の内周縁の全域、すなわち液晶パネル９の周辺部の全域にわたって設けられていたが、図８に示す本実施形態では、フレーム１１の内周縁の４つの角部、すなわち液晶パネル９の周辺部の４つの角部に対応して設けられていることである。
【００５３】
（第３実施形態）
図９は、本発明に係るフラットパネルディスプレイの支持構造のさらに他の実施形態を用いた携帯電話機１を示している。この実施形態において、図１に示した実施形態の場合と同じ部材は同じ符号を用いて示すことにして、その部材の説明は省略する。
【００５４】
この実施形態に係る携帯電話機１が図１に示した先の実施形態に係る携帯電話機１と異なる点は、フラットパネルディスプレイの支持構造を構成する充填部材１２に改変を加えたことである。具体的には、図１に示した実施形態では、充填部材１２がフレーム１１の内周縁の全域、すなわち液晶パネル９の周辺部の全域にわたって設けられていたが、図９に示す本実施形態では、フレーム１１の内周縁の４つの角部以外の中間部分、すなわち液晶パネル９の周辺部の４つの角部以外の中間部分に対応して設けられていることである。
【００５５】
（その他の実施形態）
以上、好ましい実施形態を挙げて本発明を説明したが、本発明はその実施形態に限定されるものでなく、請求の範囲に記載した発明の範囲内で種々に改変できる。
【００５６】
例えば、図１に示す実施形態では単純マトリクス方式の液晶装置に本発明を適用したが、本発明は、ＴＦＤ（Thin Film Diode）等といった２端子型スイッチング素子をアクティブ素子として用いる構造のアクティブマトリクス方式の液晶パネルや、ＴＦＴ（Thin Film Transistor）等といった３端子型スイッチング素子をアクティブ素子として用いる構造のアクティブマトリクス方式の液晶パネル等にも適用できる。
【００５７】
また、本発明は液晶パネル以外のフラットパネルディスプレイ、例えばＥＬ表示装置等に対しても適用できる。
【００５８】
また、本発明に係る電子機器は、図１に示した携帯電話機に限られず、その他の任意の電子機器、例えば携帯情報端末機、デジタルカメラ等とすることもできる。
【００５９】
また、図１の実施形態では、液晶パネル９とキースイッチ１７という２つの異なる被照明体の両方を照明する構造の導光体８を液晶パネル９を支持するための枠として用いたが、液晶パネル９だけを照明するための導光体を枠として採用することもできる。また、導光体以外の部品によって枠を構成することもできる。また、図１の実施形態では、充填部材１２を金属フレーム１１を介して導光体８に装着することにしたが、金属フレームを用いることなく充填部材を直接に導光体に装着することもできる。
【００６０】
【発明の効果】
本発明に係るフラットパネルディスプレイの支持構造及びそれを用いた電子機器によれば、液晶パネル等といったフラットパネルディスプレイが導光体等によって構成される枠に密着して支持されるのではなくて、それらの間に弾性を備えた充填部材が介在するので、外部から衝撃が加わってもその衝撃は充填部材によって吸収され、それ故、フラットパネルディスプレイが損傷することを防止できる。
【図面の簡単な説明】
【図１】本発明に係るフラットパネルディスプレイの支持構造の一実施形態及び本発明に係る電子機器の一実施形態を分解状態で示す斜視図である。
【図２】図１の電子機器の組み立て後の外観構造を示す斜視図である。
【図３】図２の電子機器の内部の断面構造を示す断面図である。
【図４】図１の電子機器の要部の組み立て作業を説明するための図である。
【図５】図１の電子機器の主要部品である液晶パネルを分解状態で示す斜視図である。
【図６】図５におけるＶＩ−ＶＩ線に従って液晶パネルの断面構造を示す断面図である。
【図７】図１の電子機器で用いられる電気制御系の一例を示すブロック図である。
【図８】本発明に係るフラットパネルディスプレイの支持構造の他の実施形態を分解状態で示す斜視図である。
【図９】本発明に係るフラットパネルディスプレイの支持構造のさらに他の実施形態を分解状態で示す斜視図である。
【符号の説明】
１            携帯電話機（電子機器）
２            第１ケース
３            第２ケース
４            回路基板
６            第１反射材
６ａ          側壁
６ｂ          底壁
７            第２反射材
８            導光体（枠）
９            液晶パネル（フラットパネルディスプレイ）
１１            フレーム
１２            充填部材
１６            液晶パネル収納用凹部
２８            係止片
２９            開口
Ｇ            空間
Ｌ            液晶
【図１】
0003744371.tif 000002
【図２】
0003744371.tif 000003
【図３】
0003744371.tif 000004
【図４】
0003744371.tif 000005
【図５】
0003744371.tif 000006
【図６】
0003744371.tif 000007
【図７】
0003744371.tif 000008
【図８】
0003744371.tif 000009
【図９】
0003744371.tif 000010